(57)【要約】【課題】記憶媒体から表示データを読み出す際の周波数を変更しても、表示を黒画面表示にすることなく良好な表示を継続し得る表示制御装置及び撮像装置を提供すること。【解決手段】記憶媒体１２に記憶された画像情報は、媒体制御部１１によって予め定められた周波数で読み出され、バッファ１１Ａに記憶された後、ＤＭＡ制御部１０、表示ＤＭＡ制御部１４を介して表示制御部１５に送られて表示装置１６に表示される。ＣＰＵインターフェイス制御部２０からは読み出し周波数の切換要求信号が出力され、これに応答して表示フレーム信号に同期した切換応答信号が媒体制御部１１に出力され、これによってバッファ１１Ａからの読み出しと周波数の切換が行われるので、画像情報は表示タイミングに同期してＤＭＡ転送でき、良好な表示がなされる。【選択図】      図１
2006235446.tif 000002
【特許請求の範囲】
【請求項１】
表示データを記憶する表示データ記憶手段と、この表示データ記憶手段に記憶された前記表示データを予め定められた周波数で読み出す読み出し制御手段と、この読み出し制御手段によって読み出された表示データがＤＭＡ転送される表示制御部と、この表示制御部にＤＭＡ転送された前記表示データが所定周期のタイミング信号に基づいて表示される表示手段と、前記読み出し制御手段によって前記表示データ記憶手段から前記表示データを読み出す周波数を前記予め定められた周波数とは異なる周波数に変更する要求信号を出力する要求信号出力手段と、この要求信号出力手段から前記要求信号が出力された後の前記所定周期のタイミング信号に基づいて前記読み出し制御手段の前記周波数を変更する変更手段とを備えたことを特徴とする表示制御装置。
【請求項２】
前記所定周期のタイミング信号は前記表示手段に１フレームの表示データを表示させるフレーム信号であることを特徴とする請求項１に記載の表示制御装置。
【請求項３】
前記所定周期のタイミング信号は前記表示手段に１フレームの表示データを表示させる際のブランキング期間信号であることを特徴とする請求項１に記載の表示制御装置。
【請求項４】
更に、前記表示データ記憶手段から読み出された表示データを一時記憶する一時記憶手段を備え、この一時記憶手段に記憶された表示データが前記所定周期のタイミング信号に基づいて前記表示制御部にＤＭＡ転送されることを特徴とする請求項１乃至３の何れかに記載の表示制御装置。
【請求項５】
外部被写体像が写し込まれる撮像素子と、この撮像素子に写し込まれた前記被写体像の画像情報が記憶される画像情報記憶手段と、この画像情報記憶手段に記憶された前記画像情報を予め定められた周波数で読み出す読み出し制御手段と、この読み出し制御手段によって読み出された画像情報がＤＭＡ転送される表示制御部と、この表示制御部にＤＭＡ転送された前記画像情報が所定周期のタイミング信号に基づいて表示される画像表示手段と、前記読み出し制御手段によって前記画像情報記憶手段から前記画像情報を読み出す周波数を前記予め定められた周波数とは異なる周波数に変更する要求信号を出力する要求信号出力手段と、この要求信号出力手段から前記要求信号が出力された後の前記所定周期のタイミング信号に基づいて前記読み出し制御手段の前記周波数を変更する変更手段とを備えたことを特徴とする撮像装置。
【請求項６】
前記画像情報記憶手段は、前記撮像装置に着脱可能な記憶媒体であることを特徴とする請求項５に記載の撮像装置。
【発明の詳細な説明】
【技術分野】
【０００１】
この発明は、表示品質を向上させた表示制御装置及び撮像装置に関する。
【背景技術】
【０００２】
従来、表示情報をＤＭＡ（ダイレクト・メモリ・アクセス）転送で表示部に順次転送して表示を行わせることが行われている。この場合、ＤＭＡ転送させるためのシステムクロックやＣＰＵクロック等の周波数は転送量など処理量に応じて変化させる一方で、表示用のクロックはシステムクロックやＣＰＵクロックとは異なるクロックで常に一定の周波数に保つことによって、システムクロックやＣＰＵクロックの周波数を変えてもその影響を受けないようにすることが考えられている（特許文献１参照）。
【特許文献１】特開平８−３１４４１８号
【発明の開示】
【発明が解決しようとする課題】
【０００３】
しかしながら、システムクロックやＣＰＵクロックの周波数を変えると、表示用のクロックはシステムクロックやＣＰＵクロックとは異なるので、周波数を変えた直後ＤＭＡ転送と表示の同期がとれず、表示すべきデータの転送がとぎれたりして表示内容が乱れることがあり、その為、ソフト的な処理により表示情報をクリアして画面を所定時間無表示にしたり、強制的に黒画面表示したりすることが行われている。
【０００４】
本発明は、上記の事情に鑑みてなされたもので、周波数を変更した際に表示内容をクリアしたり黒画面表示にすることなく良好な表示を継続し得る表示制御装置及び撮像装置を提供することを目的とする。
【課題を解決するための手段】
【０００５】
上記課題を解決するために、本発明の請求項１の表示制御装置は、表示データを記憶する表示データ記憶手段と、この表示データ記憶手段に記憶された前記表示データを予め定められた周波数で読み出す読み出し制御手段と、この読み出し制御手段によって読み出された表示データがＤＭＡ転送される表示制御部と、この表示制御部にＤＭＡ転送された前記表示データが所定周期のタイミング信号に基づいて表示される表示手段と、前記読み出し制御手段によって前記表示データ記憶手段から前記表示データを読み出す周波数を前記予め定められた周波数とは異なる周波数に変更する要求信号を出力する要求信号出力手段と、この要求信号出力手段から前記要求信号が出力された後の前記所定周期のタイミング信号に基づいて前記読み出し制御手段の前記周波数を変更する変更手段とを備えたことを特徴とする。
【０００６】
また、請求項２は、前記所定周期のタイミング信号は前記表示手段に１フレームの表示データを表示させるフレーム信号であることを特徴とする。
【０００７】
更に、請求項３は、前記所定周期のタイミング信号は前記表示手段に１フレームの表示データを表示させる際のブランキング期間信号であることを特徴とする。
【０００８】
請求項４は、更に、前記表示データ記憶手段から読み出された表示データを一時記憶する一時記憶手段を備え、この一時記憶手段に記憶された表示データが前記所定周期のタイミング信号に基づいて前記表示制御部にＤＭＡ転送されることを特徴とする。
【０００９】
本発明の請求項５の撮像装置は、外部被写体像が写し込まれる撮像素子と、この撮像素子に写し込まれた前記被写体像の画像情報が記憶される画像情報記憶手段と、この画像情報記憶手段に記憶された前記画像情報を予め定められた周波数で読み出す読み出し制御手段と、この読み出し制御手段によって読み出された画像情報がＤＭＡ転送される表示制御部と、この表示制御部にＤＭＡ転送された前記画像情報が所定周期のタイミング信号に基づいて表示される画像表示手段と、前記読み出し制御手段によって前記画像情報記憶手段から前記画像情報を読み出す周波数を前記予め定められた周波数とは異なる周波数に変更する要求信号を出力する要求信号出力手段と、この要求信号出力手段から前記要求信号が出力された後の前記所定周期のタイミング信号に基づいて前記読み出し制御手段の前記周波数を変更する変更手段とを備えたことを特徴とする。
【００１０】
また、請求項６は、前記画像情報記憶手段は、前記撮像装置に着脱可能な記憶媒体であることを特徴とする。
【発明の効果】
【００１１】
本発明によれば、表示内容をクリアしたり黒画面表示にすることなく表示を継続し得るので、表示品質を向上させた表示制御装置及び撮像装置を提供することができる。
【発明を実施するための最良の形態】
【００１２】
図１は、本発明による撮像装置、例えば静止画及び動画を記録できるデジタルカメラの回路構成図である。図において、制御部１は、ＣＰＵ、ＲＯＭ等から構成され、デジタルカメラ全体の動作を制御するためのプログラムを内部に備えると共に、後述する如く撮像及びＤＭＡ転送の為の各種制御信号を各部に供給する。
【００１３】
撮像素子であるＣＣＤ２の前方には、レンズや絞りなどの光学系３が配置されており、この光学系３は制御部１からの信号で駆動制御される光学系制御部４によって移動され絞り量の設定や焦点合わせ、ズーム動作などがなされる。前記光学系３を介してＣＣＤ２に写し込まれた外部の被写体像のアナログ信号は、ＣＣＤ駆動ドライバ５から供給される読み出しパルスによって読み出され、ＣＤＳ（雑音除去）／ＡＧＣ（自動利得）回路６に送られる。ＣＤＳ／ＡＧＣ回路６は、制御部１からの制御信号によって動作しアナログ信号の相関二重サンプリングが行われて雑音が除去されると共にゲイン調整が行われる。
【００１４】
ゲイン調整された信号はＡ／Ｄ（アナログーデジタル）変換回路７でデジタル信号に変換され順次ＣＣＤ制御部８に送られる。このＣＣＤ制御部８は、制御部１からの制御信号によって動作し、ＣＣＤ駆動ドライバ５に駆動信号を供給すると共に、内部に図示しないバッファ回路を備え、前記Ａ／Ｄ（アナログーデジタル）変換回路７からのデジタル信号を順次記憶する。このバッファ回路に記憶されたデジタル信号は画像処理部９に送られてホワイトバランス補正等の画像処理がなされ、更に輝度（Ｙ）、色差（ＵＶ）信号（以後、ＹＵＶ画像情報と称呼する。）に画像処理された後、ＤＭＡ制御回路１０及び媒体制御部１１を介してこのデジタルカメラに着脱可能な、大容量の記憶媒体１２に書き込まれる。
【００１５】
ＤＭＡ制御回路１０は、内部にＤＭＡ転送用のバスライン（データライン、アドレス制御ライン）を備え、ＤＭＡ転送要求信号を出力した各部に応答してデータを転送するものである。媒体制御部１１は、記憶媒体１２にデータを書き込み或いはデータを読み出すものであり、内部に書き込むデータ或いは読み出すデータを一時記憶するバッファ１１Ａを備えると共に、ＤＭＡ制御回路１０から送られてくる周波数切換指令信号Ｃによってデータの書き込み或いは読み出しの周波数を切換える周波数切換回路１１Ｂを含んでいる。
【００１６】
記録媒体１２は、例えばＳＤＲＡＭ或いはフラッシュメモリ等から構成され、ＣＣＤ２に写し込まれた外部の被写体像のＹＵＶ画像情報を１フレームごとに記憶する記憶領域、後述する現在時刻情報を記憶する記憶領域、同じく後述する撮影された静止画や動画を記憶する記憶領域を備えている。
【００１７】
記憶媒体１２に書き込まれた輝度（Ｙ）、色差（ＵＶ）信号のＹＵＶ画像情報は、媒体制御部１１を介して記憶媒体１２から読み出され、ＤＭＡ制御部１０を介して解像度変換回路１３に送られる。この解像度変換回路１３では、送られて来たＹＵＶ画像情報の解像度を表示用のデータに変換し、変換された表示用のデータはＤＭＡ制御部１０、詳細を後述する表示ＤＭＡ制御部１４及び表示制御部１５を介してカラーのマトリクス液晶装置からなる表示装置１６に送られて表示される。
【００１８】
また、静止画或いは動画を記憶媒体１２に記憶する場合には、記憶媒体１２に記憶されたＹＵＶ画像情報が、媒体制御部１１、ＤＭＡ制御回路１０を介して圧縮・伸張回路１７に送られ、例えば、静止画であればＪＰＥＧ規格形式の画像情報、動画であればモーションＪＰＥＧ或いはＭＰＥＧ規格形式の画像情報に変換された後、ＤＭＡ制御回路１０を介して媒体制御部１１に送られ、記憶媒体１２に記録される。
【００１９】
センサ部１８は、被写体までの距離或いは被写体の明るさなどを検出するセンサであり、その検出値は制御部１に送られ、制御部１ではその検出値に応じて光学系制御部４に制御信号を出力する。
【００２０】
時計回路部１９は、現在の年、日付及び時分などの現在時刻情報を計数するもので、時計回路部１９から出力される現在時刻情報は、制御部１及びＣＰＵインターフェイス（Ｉ／Ｆ）制御部２０を介してＤＭＡ制御部１０に送られ、媒体制御部１１を介して記憶媒体１２に記憶された後、更に、ＤＭＡ制御部１０、表示ＤＭＡ制御部１４及び表示制御部１５を介して表示装置１６に送られて表示される。ＣＰＵインターフェイス（Ｉ／Ｆ）制御部２０は、上記時刻情報を送出する以外に、ＤＭＡ制御部１０におけるＤＭＡ転送を制御部１の制御信号によって制御したり記憶媒体１２の駆動周波数を切り換える際にその要求信号を出力したりするものである。
【００２１】
釦入力部２１は、詳細は図示していないが、デジタルカメラの電源を投入する電源釦や、撮影モード、再生モード、称呼モードなどのモードを切換えるモード切替釦、静止画や動画などを撮像して記憶媒体１２に記憶させるシャッター釦、このシャッター釦による撮像の撮影条件（シャッタースピード、露出量、記憶画像の大きさ等）を事前に設定する各種設定釦等を備えている。
【００２２】
基準クロック発生回路２２は、このデジタルカメラ全体を制御する基準クロック信号を発生するもので、この基準クロック発生回路２２から出力される基準クロック信号は各部に送られる。
【００２３】
図２は、表示ＤＭＡ制御部１４及び表示制御部１５の詳細な回路構成を示している。表示ＤＭＡ制御部１４には、ＤＭＡインターフェース（Ｉ／Ｆ）制御回路３０が設けられており、このＤＭＡインターフェース（Ｉ／Ｆ）制御回路３０は、後述するフレーム周期（開始）信号ＦＲに同期して記憶媒体１２に記憶された現在時刻情報の受取りを開始し、順次バッファ３１及び３２に書き込むものである。その為、ＤＭＡインターフェース（Ｉ／Ｆ）制御回路３０からは、ＤＭＡ制御部１０に対して現在時刻情報のＤＭＡ転送要求信号を出力し、これに応答してＤＭＡ転送応答信号及び現在時刻情報が送られてくると、送られてきた現在時刻情報をバッファ３１及び３２に書き込むものである。バッファ３１及び３２に書き込まれた現在時刻情報はコード変換部３３に送られて表示情報に変換され、合成回路３４に送られる。
【００２４】
ＤＭＡインターフェース（Ｉ／Ｆ）制御回路３５は、ＣＣＤ２に写し込まれ且つ記憶媒体１２に記憶され、更に解像度変換回路１３によって解像度が変換された画像情報をフレーム周期（開始）信号ＦＲに同期して受取りを開始し、順次バッファ３６及び３７に書き込むものである。その為、ＤＭＡインターフェース（Ｉ／Ｆ）制御回路３５からは、ＤＭＡ制御部１０に対して画像情報のＤＭＡ転送要求信号を出力し、これに応答してＤＭＡ転送応答信号及び画像情報が送られてくると、送られてきた画像情報をバッファ３６及び３７に書き込むものである。バッファ３６及び３７に書き込まれた画像情報は合成回路３４に送られる。
【００２５】
合成回路３４では、コード変換部３３から送られてきた現在時刻情報とバッファ３６及び３７から送られてくる画像情報とを合成し、画像情報の一部に現在時刻情報が含まれた（嵌め込まれた）表示情報を表示制御部１５の表示駆動回路４０に送り表示部１６で表示させるものである。
【００２６】
尚、ＤＭＡインターフェース（Ｉ／Ｆ）制御回路３０に対し２つのバッファ３１及び３２、ＤＭＡインターフェース（Ｉ／Ｆ）制御回路３５に対し２つのバッファ３６及び３７をそれぞれ設けているのは、１回のＤＭＡ転送によって送られてきた所定バースト長のデータを一方のバッファに記憶させ、この記憶されたデータを読み出している間に、次に送られてきたデータを他方のバッファに記憶させ、一方のバッファの読み出しが終えた後は直ちに他方のバッファに記憶させたデータを読み出し、その間に一方のバッファに次のデータを記憶させるといった動作を行わせることによって表示情報の転送遅れが生じない様にするためである。
【００２７】
しかして、表示制御部１５には、表示駆動回路４０によって表示を行わせるために、所定クロックパルス信号ｆ１を計数する水平レジスタ４１、この水平レジスタ４１のキャリ信号を計数する垂直レジスタ４２が設けられており、水平レジスタ４１及び垂直レジスタ４２の計数値はデコーダ４３でデコードされて表示タイミング信号として表示駆動回路４０に送られる。
【００２８】
上記水平レジスタ４１の計数値は少なくとも表示装置１６の水平方向の画素数と同じ値となるように設定され、また垂直レジスタ４２で計数される計数値は少なくとも表示装置１６の垂直方向の画素数と同じかそれ以上の値となるように設定され、更に水平レジスタ４１及び垂直レジスタ４２で計数される１周期毎の信号はフレーム周期（開始）信号ＦＲとしてデコーダ４３から表示ＤＭＡ制御部１４の周波数制御部３８及びＤＭＡインターフェイス制御回路３０及び３５に送られる。
【００２９】
周波数制御部３８は、ＣＰＵインターフェイス（Ｉ／Ｆ）制御部２０からの周波数切換の要求信号（これについては後述する）を受け、これに応答してデコーダ４３から出力されるフレーム周期信号ＦＲに同期させて周波数切換の応答信号を出力するもので、出力された周波数切換の応答信号は、ＤＭＡ制御部１０を介して媒体制御部１１に周波数切換指令信号Ｃとして送られる。
【００３０】
次に、上記の如く構成されたデジタルカメラの動作について説明する。
【００３１】
図３は、上記デジタルカメラの撮影モードにおけるフローチャートである。撮影モードになると、まずステップＳ１では、ＣＣＤ２に写し込まれている被写体像を表示装置１６にスルー画像表示（モニター表示）させる。即ち、ＣＣＤ２に写し込まれている被写体像を画像処理して記憶媒体１２に記憶させると共に、直ちに読み出して解像度変換回路１３に送って表示用のデータに変換し、変換した表示用のデータを表示ＤＭＡ制御部１４のＤＭＡインターフェース（Ｉ／Ｆ）制御回路３５に送って表示装置１６で表示させるものである。またこのとき、時計回路部１９で得られている現在時刻情報も一旦記録媒体１２に記憶された後、表示ＤＭＡ制御部１４のＤＭＡインターフェース（Ｉ／Ｆ）制御回路３０に送られ、被写体の画像情報と合成されて表示されるものである。
【００３２】
この場合、記録媒体１２へのデータの書き込み或いは読み出しは、ＤＭＡ転送によって表示遅れが発生しないような予め定められた周波数、例えば５４ＭＨｚで行われる。
【００３３】
ステップＳ２では、撮影のためのシャッター釦が操作されたか否かが判断される。操作されていない場合はステップＳ１のスルー画像表示に戻るが、操作されたことが検出されるとステップＳ３に進み、操作された際にＣＣＤ２に写し込まれていた画像を、圧縮伸張回路部１７によって例えばＪＰＥＧ規格に合わせて圧縮し記録媒体１２に記録させる。
【００３４】
次のステップＳ４では、ステップＳ３によって記憶媒体１２に記録された画像を記憶媒体１２から読み出し、圧縮伸張回路部１７によって伸張した後、解像度変換回路１３に送って表示用のデータに変換し表示部１６に表示させる。この記録媒体１２からの読み出し及び表示は次のステップＳ５で一定時間、例えば５秒間経過したか否かが判断されるまで継続する。即ち、撮影した画像を５秒間表示部１６に継続表示させることによって、撮影画像を確認できるようにするものである。そして、５秒が経過するとステップＳ１のスルー表示に戻る。
【００３５】
しかして、ステップＳ４においては、記録媒体１２からの読み出し速度（読み出しの周波数）を、それまでの５４ＭＨｚから更に低い周波数例えば１８ＭＨｚに切り換える処理が行われる。即ち、このステップではスルー表示が行われず、記録媒体から読み出されたデータを表示させるだけなので低い周波数でＤＭＡ転送を行っても十分間に合うからである。その為、ステップＳ４においては、制御部１からＣＰＵインターフェイス制御部２０に、周波数切換を指令する制御信号が出力される。
【００３６】
ＣＰＵインターフェイス制御部２０は、制御部１から周波数切換を指令する制御信号を受けると表示ＤＭＡ制御部１４の周波数制御部３８に周波数切換の要求信号を送出する。周波数制御部３８は周波数切換の要求信号が供給されると、デコーダ４３からフレーム周期信号ＦＲが出力されるまで待機して、フレーム周期信号ＦＲが出力された時点でこれに同期させて周波数切換の応答信号を出力する。この周波数切換の応答信号は、ＤＭＡ制御部１０を介して媒体制御部１１に周波数切換指令信号Ｃとして送られる。
【００３７】
媒体制御部１１では、ＣＰＵインターフェイス制御部２０から周波数切換の要求信号が出力されてから周波数切換指令信号Ｃを受け取る迄に、記録媒体１２のデータが読み出されてバッファ１１Ａに記憶されているので、フレーム周期信号に同期した周波数切換指令信号Ｃを受け取ると直ちにバッファ１１Ａに記憶されているデータをＤＭＡ制御部１０に送出する。また周波数切換指令信号Ｃを受け取ると、周波数切換回路１１Ｂによって記録媒体１２の書き込み及び読み出し周波数を切り換える。
【００３８】
このように、上記実施の形態では、記録媒体１２の駆動周波数を切り換えても、この切換及びデータの転送は表示装置のフレーム信号に同期させておこなっているので、表示データをとぎれることなく表示制御部に送って表示させることが出来るものであり、その為、従来のように表示データを強制的に黒表示にしたりする必要がなく、表示品質を向上させることが出来るものである。
【００３９】
尚、ステップＳ５で一定時間が経過した後ステップＳ１のスルー画像表示に戻り、周波数を５４ＭＨｚに戻す際においても、ステップＳ４同様にＣＰＵインターフェイス制御部２０から周波数切換の要求信号が出力され、周波数制御部３８からフレーム周期信号ＦＲに同期させて周波数切換の応答信号が出力され、この周波数切換の応答信号が媒体制御部１１に周波数切換指令信号Ｃとして送られる。
【００４０】
これによって、媒体制御部１１では、フレーム周期信号に同期してバッファ１１Ａに記憶されているデータをＤＭＡ制御部１０に送出し、且つ周波数の切り換えがなされるものであり、ステップＳ４同様に表示のとぎれを発生させることがないものである。
【００４１】
尚、上記の実施の形態では、デジタルカメラに備えられた表示装置における表示を周波数切換の影響を受けないようにする例について述べたが、例えば、表示装置としてＮＴＳＣ方式の表示装置を用い、表示信号波形として垂直ブランキング期間及び映像信号期間を有する波形を使用する場合、垂直ブランキング期間に同期した周波数切換の応答信号を出力させ、この応答信号によって切り換えるようにしても表示のとぎれは発生しないものである。
【００４２】
また、上記の実施の形態では、スルー画像表示から撮影画像表示に切り換えた際、或いはその逆に切り換えた際の周波数切換について説明したが、周波数の切換タイミングは上記の実施の形態に限定されず、例えば、消費電力を少なくするために操作釦の操作によって切り換えるようにしてもよいものである。
【００４３】
更に、本発明はデジタルカメラに限定されず、携帯電話、ＰＤＡ（パーソナル・デジタル・アシスタンツ）、ＨＴ（ハンデイーターミナル）等、表示装置を備えＤＭＡ転送によって表示データを転送するあらゆる電子機器に適用できるものである。
【図面の簡単な説明】
【００４４】
【図１】本発明によるデジタルカメラの回路ブロック図。
【図２】図１の表示ＤＭＡ制御部及び表示制御部の詳細な構成図。
【図３】図１の動作を示すフローチャート。
【符号の説明】
【００４５】
１    制御部
２    撮像素子
９    画像処理部
１０  ＤＭＡ制御部
１１  媒体制御部
１２  記憶媒体
１３  解像度変換回路
１４  表示ＤＭＡ制御部
１５  表示制御部
１６  表示装置
【図１】
2006235446.tif 000003
【図２】
2006235446.tif 000004
【図３】
2006235446.tif 000005